(57)【要約】【課題】従来の媒体搬送装置では、媒体とガイド部材との摩擦により静電気が生じて蓄積される可能性があったため、静電気を確実に除去する技術が求められていた。【解決手段】媒体搬送ユニット２は、原稿媒体８を載置する媒体載置台１４と、原稿媒体８を搬送する媒体搬送手段（搬送ローラ対１５および排出ローラ対１８）と、搬送される原稿媒体８をガイドする媒体ガイド部材７とを備える。媒体ガイド部材７は、導電性材料で形成されている。媒体ガイド部材７は、導電部（非塗装部）７ｂと非導電部（塗装部）７ａとを有する。【選択図】図３
2014076872.tif 000002
【特許請求の範囲】
【請求項１】
媒体を載置する媒体載置部と、
前記媒体を搬送する媒体搬送手段と、
前記媒体搬送手段によって搬送される媒体をガイドする、導電性材料で形成された媒体ガイド部材とを備え、
前記媒体ガイド部材は、導電部と非導電部とを有することを特徴とする媒体搬送装置。
【請求項２】
前記媒体ガイド部材は、搬送される媒体に対向する媒体搬送面を有し、当該媒体搬送面に、前記導電部と前記非導電部とを有することを特徴とする請求項１に記載の媒体搬送装置。
【請求項３】
前記非導電部は、塗装部であって、
前記導電部は、非塗装部であることを特徴とする請求項１または２に記載の媒体搬送装置。
【請求項４】
前記非導電部は、フィルムによって構成されることを特徴とする請求項１または２に記載の媒体搬送装置。
【請求項５】
前記導電部は、前記非導電部の媒体搬送方向における上流側に設けられていることを特徴とする請求項１から４までのいずれか１項に記載の媒体搬送装置。
【請求項６】
前記導電部は、前記非導電部の媒体搬送方向における下流側に形成されていることを特徴とする請求項１から５までのいずれか１項に記載の媒体搬送装置。
【請求項７】
前記媒体ガイド部材は、曲げ部を有しており、
前記導電部は、前記曲げ部に形成されていることを特徴とする請求項１から６までのいずれか１項に記載の媒体搬送装置。
【請求項８】
前記媒体ガイド部材は、前記媒体搬送手段によって搬送される前記媒体を読取位置で読み取る読取手段に対向して配置されていることを特徴とする請求項１から７までのいずれか１項に記載の媒体搬送装置。
【請求項９】
前記非導電部は、前記読取位置の媒体搬送方向における上流側と下流側とにまたがって形成されていることを特徴とする請求項８に記載の媒体搬送装置。
【請求項１０】
前記導電部と前記非導電部との境界線は、媒体搬送方向に対して傾斜していることを特徴とする請求項１から９までのいずれか１項に記載の媒体搬送装置。
【請求項１１】
前記導電部と前記非導電部との境界線は、前記媒体の幅方向一端から他端に向かって、直線状または曲線状に延在していることを特徴とする請求項１から１０までのいずれか１項に記載の媒体搬送装置。
【請求項１２】
前記導電部と前記非導電部との境界線は、前記媒体の幅方向一端から他端までの間に、少なくとも一つの折り返し点を有するように延在していることを特徴とする請求項１から１０までのいずれか１項に記載の媒体搬送装置。
【請求項１３】
前記媒体ガイド部材は、曲げ部を有しており、
前記導電部と前記非導電部との境界線は、前記曲げ部と交差するように延在していることを特徴とする請求項１から１０までのいずれか１項に記載の媒体搬送装置。
【請求項１４】
媒体を載置する媒体載置部と、
前記媒体を搬送する媒体搬送手段と、
前記媒体搬送手段によって搬送される媒体をガイドする、導電性材料で形成された媒体ガイド部材と、
前記媒体ガイド部材に対向して配置され、搬送される媒体を読取位置で読み取る読取手段と
を備え、
前記媒体ガイド部材は、導電部と非導電部とを有することを特徴とする読取装置。
【請求項１５】
読取装置と画像形成装置とを備えた複合装置であって、
前記読取装置は、
媒体を載置する媒体載置部と、
前記媒体を搬送する媒体搬送手段と、
前記媒体搬送手段によって搬送される媒体をガイドする、導電性材料で形成された媒体ガイド部材と、
前記媒体ガイド部材に対向して配置され、搬送される媒体を読取位置で読み取る読取手段と
を備え、
前記媒体ガイド部材は、導電部と非導電部とを有することを特徴とする複合装置。
【発明の詳細な説明】
【技術分野】
【０００１】
本発明は、媒体を搬送する媒体搬送装置、並びに、媒体を搬送して読み取りを行う読取装置および複合装置に関する。
【背景技術】
【０００２】
読取装置等に設けられる媒体搬送装置は、媒体を搬送路に沿って搬送し、ガイド板によってガイドしている（例えば、特許文献１参照）。
【先行技術文献】
【特許文献】
【０００３】
【特許文献１】特開２００３−２３５３２号公報（図４参照）
【発明の概要】
【発明が解決しようとする課題】
【０００４】
しかしながら、ガイド板で媒体を搬送する場合、媒体とガイド板との摩擦によって発生した静電気がガイド板に蓄積する可能性がある。このように静電気が蓄積すると、ガイド板が過帯電して放電を生じるおそれがある。そこで、装置の誤動作を防止するため、静電気の影響を排除することが求められている。
【０００５】
本発明は、上記の課題を解決するためになされたものであり、搬送される媒体、および媒体をガイドする部材（媒体ガイド部材）の静電気の除去を可能にすることを目的とする。
【課題を解決するための手段】
【０００６】
本発明に係る媒体搬送装置は、媒体を載置する媒体載置部と、媒体を搬送する媒体搬送手段と、媒体搬送手段によって搬送される媒体をガイドする、導電性材料で形成された媒体ガイド部材とを備えて構成される。媒体ガイド部材は、導電部と非導電部とを有する。
【０００７】
本発明に係る読取装置は、媒体を載置する媒体載置部と、媒体を搬送する媒体搬送手段と、媒体搬送手段によって搬送される媒体をガイドする、導電性材料で形成された媒体ガイド部材と、媒体ガイド部材に対向して配置され、搬送される媒体を読取位置で読み取る読取手段とを備えて構成される。媒体ガイド部材は、導電部と非導電部とを有する。
【０００８】
本発明に係る複合装置は、読取装置と画像形成装置とを備えて構成される。読取装置は、媒体を載置する媒体載置部と、媒体を搬送する媒体搬送手段と、媒体搬送手段によって搬送される媒体をガイドする、導電性材料で形成された媒体ガイド部材と、媒体ガイド部材に対向して配置され、搬送される媒体を読取位置で読み取る読取手段とを備えて構成される。媒体ガイド部材は、導電部と非導電部とを有する。
【発明の効果】
【０００９】
本発明によれば、媒体と媒体ガイド部材との摩擦等によって発生する静電気を除去することができる。これにより、静電気の影響を排除して、装置の安定した動作を実現することができる。
【図面の簡単な説明】
【００１０】
【図１】本発明の第１の実施の形態における読取装置の構成を示す断面図である。
【図２】第１の実施の形態における読取装置の一部を拡大して示す図である。
【図３】第１の実施の形態における媒体ガイド部材の構成を示す側面図（Ａ）および底面図（Ｂ）である。
【図４】第１の実施の形態における媒体ガイド部材の一部を拡大して示す図である。
【図５】第１の実施の形態における媒体ガイド部材の他の構成例を示す側面図（Ａ）および底面図（Ｂ）である。
【図６】第１の実施の形態における媒体ガイド部材の別の構成例を示す側面図（Ａ）および底面図（Ｂ）である。
【図７】第１の実施の形態における媒体ガイド部材のさらに別の構成例を示す底面図（Ａ）〜（Ｃ）である。
【図８】本発明の第２の実施の形態における媒体ガイド部材の構成を示す側面図（Ａ）および底面図（Ｂ）である。
【図９】本発明の第３の実施の形態における媒体ガイド部材の構成を示す側面図（Ａ）および底面図（Ｂ）である。
【図１０】本発明の第４の実施の形態における媒体ガイド部材の構成を示す側面図（Ａ）および底面図（Ｂ）である。
【図１１】第１〜第４の実施の形態の読取装置が適用可能な複合装置の構成を示す斜視図である。
【図１２】図１１に示した複合装置の側面図である。
【発明を実施するための形態】
【００１１】
第１の実施の形態．
＜読取装置の構成＞
図１は、本発明の第１の実施の形態における読取装置１の構成を示す断面図である。この読取装置１は、例えば、後述する複合装置６（図１１，１２参照）に組み込まれるものである。
【００１２】
読取装置１は、媒体搬送装置としての媒体搬送ユニット２と、読取ユニット３とによって構成されている。媒体搬送ユニット２は、ＡＤＦ（Ａｕｔｏ  Ｄｏｃｕｍｅｎｔ  Ｆｅｅｄｅｒ）とも呼ばれ、所定の揺動軸（例えば図１２に示した揺動軸１１０）を中心として、読取ユニット３に対して揺動開閉可能に設けられている。
【００１３】
媒体搬送ユニット２は、原稿媒体８（読取対象である画像が印刷された用紙など）を載置する媒体載置部としての原稿載置台１４と、原稿載置台１４に載置された原稿媒体８の表面に接触して回転し、原稿媒体８を一枚ずつ引き出すピックアップローラ１１と、ピックアップローラ１１によって引き出された原稿媒体８を一枚ずつに分離して搬送路Ｓに送り出す給紙ローラ１２および摩擦分離片１３とを備えている。ピックアップローラ１１と給紙ローラ１２とにより、原稿媒体８を搬送路Ｓに供給する媒体供給部が構成される。
【００１４】
媒体搬送ユニット２は、さらに、給紙ローラ１２によって搬送路Ｓに送り出された原稿媒体８をさらに搬送する第１のローラ対としての搬送ローラ対１５を備えている。媒体搬送ユニット２は、さらに、搬送される原稿媒体８を、後述する読取位置１０に向けて案内する搬送案内手段としての第１案内部材１６および第２案内部材１７と、原稿媒体８を読取位置１０でガイドする媒体ガイド部材７とを備えている。媒体ガイド部材７の構成は、後述する。
【００１５】
媒体搬送ユニット２は、さらに、読取位置１０を通過した原稿媒体８を排出する第２のローラ対としての排出ローラ対１８と、排出ローラ対１８によって排出された原稿媒体８が載置される原稿排出台１９とを備えている。
【００１６】
搬送ローラ対１５と排出ローラ対１８とにより、原稿媒体８を搬送路Ｓに沿って搬送する媒体搬送手段が構成される。原稿媒体８の搬送方向における搬送ローラ対１５と排出ローラ対１８との距離（ニップ間距離）は、原稿媒体８の搬送方向における長さよりも短い。また、排出ローラ対１８は、搬送ローラ対１５よりも僅かに速い周速度で回転する。
【００１７】
媒体搬送ユニット２は、さらに、原稿載置台１４上の原稿媒体８の有無を検知するセンサ３１を有している。原稿媒体８の搬送方向において給紙ローラ１２の下流側には、原稿媒体８が搬送路Ｓに給紙されたタイミングを検知するセンサ３２が配置されている。また、搬送ローラ対１５の下流側には、読取手段２２（後述）による読取開始のタイミングを決定するためのセンサ３３が配置されている。
【００１８】
ここでは、原稿載置台１４が原稿排出台１９のほぼ真上に位置しており、搬送路Ｓは湾曲形状を有している。すなわち、原稿載置台１４から供給した原稿媒体８は、湾曲形状を有する搬送路Ｓに沿って搬送され、原稿面を下にして読取位置１０を通過し、原稿排出台１９に排出される。但し、媒体搬送ユニット２は、このような配置に限定されるものではない。
【００１９】
読取ユニット３は、媒体保持部としての光透過板２１と、読取手段２２と、載置部材としての載置ガラス２３とを有している。光透過板２１は、読取手段２２が読み取りを行う際に原稿媒体８を下方から支えるものであり、読取手段２２の光を透過する材質で形成されている。
【００２０】
読取手段２２は、光透過板２１を介して原稿媒体の原稿面（ここでは下面）に光を照射し、原稿面に形成された画像を読み取る。ここでは、読取手段２２は、原稿媒体８の搬送方向に直交する方向（主走査方向）に複数の読取素子を配列したラインイメージセンサで構成される。
【００２１】
読取手段２２は、搬送ローラ対１５によって搬送される原稿媒体８が読取位置１０を通過する際に、原稿媒体８の主走査方向の１次元イメージを逐次読み取る。媒体ガイド部材７は、読取位置１０において読取手段２２に対向している。
【００２２】
なお、読取ユニット３は、媒体供給ユニット２を用いずに、原稿媒体８の読み取りを行うこともできる。この場合には、媒体搬送ユニット２を、揺動軸１１０（図１２）を中心として上方に揺動させて載置ガラス２３上を開放する。そして、載置ガラス２３上に原稿媒体８を載置し、読取手段２２を図中右方向（矢印Ｊ１）に移動させながら読み取りを行う。読み取り完了後は、読取手段２２を反対方向（矢印Ｊ２）に移動させ、基準位置としての読取位置１０に復帰させる。
【００２３】
図２は、読取装置１の要部を拡大して示す図である。媒体ガイド部材７は、光透過板２１との間に所定の隙間ができるように配置されており、媒体ガイド部材７と光透過板２１との隙間を原稿媒体８が通過する。
【００２４】
媒体ガイド部材（媒体押さえ部材とも称する）７は、原稿媒体８に対向する媒体搬送面７ｃと、その反対面である非媒体搬送面７ｄとを有している。媒体ガイド部材７は、導電性材料で形成された付勢部材としてのスプリング２６によって、光透過板２１に向けて（図中下方に）付勢されている。スプリング２６の一端（ここでは上端）は、媒体搬送ユニット２の導電性材料（例えば板金）で形成されたフレーム２４と当接し、スプリング２６の他端（ここでは他端）は、非媒体搬送面７ｄに当接している。
【００２５】
媒体ガイド部材７は、媒体搬送面７ｃと光透過板２１との間に上記の隙間が形成されるように、図示しない規制部によって光透過板２１側（図中下方）への移動が規制されている。媒体ガイド部材７と光透過板２１とによって、原稿媒体８をガイドするガイド部Ａが構成される。
【００２６】
媒体ガイド部材７と光透過板２１とで構成されるガイド部Ａは、図１に示すように、第１のローラ対１５のニップ部と、第２のローラ対１８のニップ部とを結んだ仮想直線Ｌよりも、読取手段２２側に配置されている。このような配置により、原稿媒体８が第１のローラ対１５と第２のローラ対１８との両方に挟持されているときに、原稿媒体８が媒体ガイド部材７に押し付けられる。
【００２７】
図２に戻り、スプリング２６が当接するフレーム２４は、アース線２５によって、読取ユニット３のフレーム３４に接続されている。このフレーム３４は、導電性材料で形成されており、アース線３５を介してグランドＧに接地されている。すなわち、媒体ガイド部材７は、スプリング２６、フレーム２４、アース線２５、フレーム３４およびアース線３５を介して、グラウンドＧに接地されている。
【００２８】
この例では、媒体ガイド部材７は、導電性材料としての板金により形成されている。ここで、導電性材料とは、例えば表面電気抵抗が１０７Ω以下の材料であれば良い。また、媒体ガイド部材７以外の導電性材料で構成された部材（例えば、フレーム２４，３４、スプリング２６等）も同様であり、いずれも、例えば表面電気抵抗が１０７Ω以下の材料であればよい。
【００２９】
なお、読取装置１を、後述する画像形成装置５と組み合わせて複合装置６（図１１参照）を構成する場合には、アース線２５を、画像形成装置５を介してグラウンドＧに接地してもよい。
【００３０】
＜媒体ガイド部材の構成＞
次に、本実施の形態における媒体ガイド部材７の構成について説明する。ここでは、原稿媒体８が読取位置１０を通過する際の搬送方向（副走査方向）を、媒体搬送方向と称する。図３は、媒体ガイド部材７の側面図（Ａ）および底面図（Ｂ）である。媒体ガイド部材７は、導電性材料からなる例えば板金で形成されている。
【００３１】
図３（Ａ）に示すように、媒体ガイド部材７は、光透過板２１（図２）と平行に延在する対向部７０１を有している。媒体ガイド部材７の対向部７０１に対して媒体搬送方向の上流側には、対向部７０１に対して傾斜した導入部７０２が設けられている。さらに、媒体ガイド部材７の対向部７０１に対して媒体搬送方向の下流側には、対向部７０１に対して略垂直に立ち上げられた立ち上げ部７０３が設けられている。
【００３２】
対向部７０１と導入部７０２との間には、光透過板２１側に凸となる曲面状の曲げ部Ｒ１が形成されている。対向部７０１と立ち上げ部７０３との間には、光透過板２１側に凸となる曲面状の曲げ部Ｒ２が形成されている。すなわち、媒体ガイド部材７は、媒体搬送方向における上流側および下流側に、それぞれ曲げ部Ｒ１，Ｒ２を有している。
【００３３】
図３（Ｂ）に示すように、媒体ガイド部材７の媒体搬送面７ｃ（下面）には、媒体搬送方向（矢印Ｆ）において読取位置１０の上流側と下流側にまたがるように、非導電部としての塗装部７ａが設けられている。
【００３４】
塗装部７ａは、白色塗装であり、読取手段２２によって原稿媒体８を読み取るときに、読み取られる原稿媒体８のバックグラウンドに媒体ガイド部材７の地色が透けて表れることを防止するためのものである。塗装部７ａは、Ｌａｂ系色度座標で、Ｌが９２以上、ａ値が−２〜＋２、ｂ値が０〜４となる白色度を有している。ここで、Ｌは、明度（白黒の度合い）を表し、大きいほど白く、小さいほど黒い。Ｌが１００の場合は完全な白であり、Ｌが０の場合は完全な黒である。ａ値は、大きいほど赤色が濃く、小さいほど緑味が薄くなる。ｂ値は、大きいほど黄味が強く、小さいほど青味が強くなる。
【００３５】
また、原稿媒体８との接触による塗装部７ａの摩耗を低減するために、塗装部７ａのビッカース硬度を７５度〜８５度の範囲とした。また、塗装部７ａの表面粗さＲａを１．３μｍ以下とした。
【００３６】
塗装部７ａは、例えば、アクリル系樹脂をコーティングすることによって形成されるが、ポリテトラフルオロエチレン（ＰＴＦＥ）等、他の材質および他の形成方法を用いてもよい。塗装部７ａの厚さは、本実施の形態では３０μｍとするが、２０μｍ〜５０μｍの範囲であればよい。
【００３７】
一方、媒体ガイド部材７の媒体搬送面７ｃにおいて、塗装部７ａよりも媒体搬送方向の上流側には、導電部としての非塗装部７ｂが設けられている。非塗装部７ｂは、塗装部７ａが設けられていない領域であり、導電性材料からなる媒体ガイド部材７と原稿媒体８とを接触により導通させるものである。
【００３８】
図４は、図３（Ａ）に円Ｃで囲んだ媒体ガイド部材７の一部を拡大して示す図である。塗装部７ａは、上記の通り、媒体ガイド部材７の媒体搬送面７ｃにコーティングにより形成したものであるため、媒体搬送面７ｃには塗装部７ａの厚みに相当する段差Ｍが生じる。
【００３９】
そこで、本実施の形態では、搬送される原稿媒体８が段差Ｍに引っ掛かることを防止するため、図３（Ｂ）に示したように、塗装部７ａと非塗装部７ｂとの境界線Ｅを、媒体搬送方向（矢印Ｆ）に対して傾斜させている。
【００４０】
このように境界線Ｅを媒体搬送方向に対して傾斜させることにより、原稿媒体８の先端と媒体ガイド部材７の塗装部７ａの端部（段差Ｍ）とが線接触しないようにしている。これにより、原稿媒体８が塗装部７ａの端部に引っ掛かることに起因するジャム、あるいは原稿媒体８の先端の損傷を防止することができる。
【００４１】
図３（Ｂ）に示した例では、境界線Ｅは、媒体幅方向（主走査方向）の一端から他端にかけて、略直線状に延在している。この例では、媒体ガイド部材７の媒体幅方向の一端（図３（Ｂ）の上端）での境界線Ｅと読取位置１０との距離をＬ１とし、他端（図３（Ｂ）の下端）での境界線Ｅと読取位置１０との距離をＬ２とし、曲げ部Ｒ１と読取位置１０との距離をＬ０すると、Ｌ１＞Ｌ０＞Ｌ２が成立する。なお、境界線Ｅの傾斜方向が逆であってもよい。
【００４２】
また、境界線Ｅは、曲げ部Ｒ１と交差することが望ましい。言い換えると、導電部としての非塗装部７ｂが、媒体ガイド部材７の曲げ部Ｒ１の少なくとも一部に形成されていることが望ましい。このようにすれば、原稿媒体８が媒体搬送面７ｃに接触するのとほぼ同時に、非塗装部７ｂに接触するためである。
【００４３】
なお、非塗装部７ｂは、媒体搬送面７ｃの読取位置１０における読取手段２２の読取領域には設けられていない。本実施の形態では、非塗装部７ｂは、媒体搬送面７ｃの読取位置１０には設けられていない。読取位置１０では、読取手段２２（例えばラインイメージセンサ）が塗装部７ａの白色基準面を読み取って補正を行うためである。また、媒体ガイド部材７の非媒体搬送面７ｄ（図２）は、スプリング２６との導通を確保する必要があるため、スプリング２６と当接する領域には、非導電部としての塗装部７ａは設けられていない。
【００４４】
図５は、媒体ガイド部材７の他の構成例を示す側面図（Ａ）および底面図（Ｂ）である。図５に示す構成例では、媒体搬送面７ｃの読取位置１０を挟んで媒体搬送方向（矢印Ｆ）の上流側および下流側に、非導電部としての塗装部７ａが形成されている。塗装部７ａよりも媒体搬送方向上流側には、導電部としての非塗装部７ｂが設けられている。
【００４５】
塗装部７ａと非塗装部７ｂとの境界線Ｅは、媒体幅方向（主走査方向）の一端から他端までの間に、折り返し点Ｐを有するように延在している。より具体的には、境界線Ｅは、媒体幅方向の略中央部の折り返し点Ｐを挟んで、２つの傾斜部分を有している。
【００４６】
この例では、境界線Ｅの折り返し点Ｐと読取位置１０との距離をＬ１とし、媒体幅方向の両端での境界線Ｅと読取位置１０との距離をＬ２とし、曲げ部Ｒ１と読取位置１０との距離をＬ０すると、Ｌ１＞Ｌ０＞Ｌ２が成立する。なお、折り返し点Ｐは、必ずしも媒体幅方向の略中央にある必要はなく、両端部以外であればよい。また、境界線Ｅの傾斜方向が逆であってもよい。
【００４７】
図５に示した構成例においても、原稿媒体８の先端と塗装部７ａの端部とが線接触しないようにし、原稿媒体８の引っ掛かりを防止することができる。
【００４８】
図６は、塗装部７ａおよび非塗装部７ｂの別の構成例を示す側面図（Ａ）および底面図（Ｂ）である。図６に示す構成例では、媒体搬送面７ｃの読取位置１０を挟んで媒体搬送方向（矢印Ｆ）の上流側および下流側に、非導電部としての塗装部７ａが形成されている。塗装部７ａよりも媒体搬送方向上流側には、導電部としての非塗装部７ｂが設けられている。
【００４９】
塗装部７ａと非塗装部７ｂとの境界線Ｅは、媒体幅方向の一端から他端までの間に、複数の折り返し点を有するように延在している。より具体的には、媒体幅方向の複数の折り返し点Ｐを有し、多数の傾斜部分を有している。
【００５０】
複数の折り返し点Ｐのうち、媒体搬送方向上流側の折り返し点Ｐ１と読取位置１０との距離をＬ１とし、下流側の折り返し点Ｐ２と読取位置１０との距離をＬ２とし、曲げ部Ｒ１と読取位置１０との距離をＬ０すると、Ｌ１＞Ｌ０＞Ｌ２が成立する。
【００５１】
図６に示した構成例においても、原稿媒体８の先端と塗装部７ａの端部とが線接触しないようにし、原稿媒体８の引っ掛かりを防止することができる。
【００５２】
図３，図５および図６には、塗装部７ａと非塗装部７ｂとの境界線Ｅが直線状に延在する構成を示したが、このような構成に限定されるものではない。例えば、図７（Ａ）、（Ｂ）および（Ｃ）に示すように、境界線Ｅが曲線状に延在していてもよい。
【００５３】
図７（Ａ）に示した例は、図３に示した構成において、境界線Ｅを曲線状に延在させたものである。図７（Ｂ）に示した例は、図５に示した構成において、境界線Ｅを曲線状に延在させたものである。図７（Ｃ）に示した例は、図６に示した構成において、境界線Ｅを曲線状に延在させたものである。いずれの構成例においても、搬送される原稿媒体８の引っ掛かりを防止することができる。
【００５４】
＜読取装置の動作＞
次に、本実施の形態の読取装置１の動作について、図１を参照して説明する。原稿載置台１４に原稿媒体８が積載されると、原稿媒体８がセンサ３１に検知される。読取装置１の制御部は、センサ３１の検知信号により、原稿媒体８が原稿載置台１４に載せられたことを認識する。
【００５５】
読取開始スイッチ（例えば、図１１に示すオペレーションパネル６Ａのコピー操作キー）から読取開始信号が入力され、あるいは読取装置１に接続されたパーソナルコンピュータなどの外部機器から読取開始信号が送信されると、読取装置１は、ピックアップローラ１１を回転させ、原稿載置台１４に載置された原稿媒体８を、給紙ローラ１２と摩擦分離片１３に向けて引き出す。
【００５６】
ピックアップローラ１１によって引き出された原稿媒体８は、摩擦分離片１３により１枚ずつ分離され、給紙ローラ１２により、搬送ローラ対１５に向けて搬送される。原稿媒体８の前端部が搬送ローラ対１５に到達した後は、給紙ローラ１２および搬送ローラ対１５の両方により原稿媒体８が搬送される。さらに、原稿媒体８の後端部が給紙ローラ１２を通過した後は、搬送ローラ対１５により原稿媒体８が搬送され、原稿媒体８は第１案内部材１６および第２案内部材１７を経て、光透過板２１上に到達する。
【００５７】
原稿媒体８の先端がセンサ３３により検知されてから一定のタイミングで、原稿媒体８の先端が読取位置１０に到達する。原稿媒体８は、光透過板２１から所定の距離以上離れないように、媒体ガイド部材７によって位置規制された状態で搬送される。
【００５８】
原稿媒体８が読取位置１０に到達するタイミングで、読取手段２２による読み取りが開始される。読取手段２２は、媒体幅方向（主走査方向）に配列された複数の読取素子により、読取位置１０上の原稿媒体８の画像をリニアイメージとして読み取る。原稿媒体８の搬送と同期して、読取手段２２によるリニアイメージを読み取ることにより、原稿媒体８の画像（読取画像）の二次元イメージが得られる。
【００５９】
原稿媒体８の先端が排出ローラ対１８に到達すると、搬送ローラ対１５と排出ローラ対１８により原稿媒体８が搬送される。上記の通り、排出ローラ対１８の回転周速は搬送ローラ対１５の回転周速よりも速いため、原稿媒体８は媒体ガイド部材７に押し当てられた状態で搬送される。
【００６０】
原稿媒体８の後端部が搬送ローラ対１５を通過すると、排出ローラ対１８のみにより原稿媒体８が搬送される。そして、原稿媒体８の後端部が読取位置１０を通過すると、原稿媒体８の読み取りが完了し、原稿媒体８は排出ローラ対１８によって原稿排出台１９に排出される。
【００６１】
原稿載置台１４上に２枚目の原稿媒体８があるときには、上述した１枚目の原稿媒体８と同様にして、２枚目の原稿媒体８の搬送および読み取りが行われる。
【００６２】
上記の読み取り動作において、原稿媒体８が読取位置１０を通過する際、光透過板２１と原稿媒体８との摩擦、および媒体ガイド部材７と原稿媒体８との摩擦により、静電気が発生する場合がある。しかしながら、原稿媒体８が媒体ガイド部材７（導電性材料）の導電部（非塗装部７ｂ）と接触することにより、上記摩擦により発生した静電気は、媒体ガイド部材７、スプリング２６、フレーム２４、アース線２５、フレーム３４およびアース線３５（図２）を介して、グランドＧに逃げる。このように、摩擦により生じた静電気を除去することにより、読取装置１の誤動作を防止することができる。
【００６３】
＜効果＞
以上説明したように、第１の実施の形態によると、媒体ガイド部材７は、導電性材料で構成され、媒体搬送面７ｃに非導電部（塗装部７ａ）と導電部（非塗装部７ｂ）とを備えているため、原稿媒体８、媒体ガイド部材７および光透過板２１に生じた静電気を除去することができる。その結果、静電気の影響を排除し、読取装置１の誤動作を防止することができる。
【００６４】
特に、媒体ガイド部材７の導電部（非塗装部７ｂ）が、非導電部（塗装部７ａ）よりも媒体搬送方向の上流側に配置されているため、原稿媒体８が媒体ガイド部材７に接触すると同時に、原稿媒体８が導電部（非塗装部７ｂ）に接触して静電気が除去される。これにより、静電気の影響をより確実に排除することができる。
【００６５】
さらに、塗装部７ａと非塗装部７ｂとの境界線Ｅが、媒体搬送方向に対して傾斜しているため、原稿媒体８の先端と媒体ガイド部材７の塗装部７ａの端部とが線接触せず、これにより、原稿媒体８が塗装部７ａの端部に引っ掛かることを防止できる。その結果、原稿媒体８のジャム、あるいは原稿媒体８の先端の損傷を防止することができる。
【００６６】
また、導電部である非塗装部７ｂが、媒体ガイド部材７の曲げ部Ｒ１の少なくとも一部に形成されているため、原稿媒体８を確実に導電部（非塗装部７ｂ）に接触させ、静電気を除去することができる。
【００６７】
また、媒体ガイド部材７が塗装部７ａ（白色塗装）を有しているため、読取手段２２によって原稿媒体８を読み取るときに、媒体ガイド部材７の地色がバックグラウンドに透けて表れることを抑制することができる。
【００６８】
特に、媒体ガイド部材７の塗装部７ａは、媒体搬送方向において読取位置１０の上流側と下流側にまたがるように形成されているため、読取手段２２の補正機能を損なうことなく、上述した静電気の除去を実現することができる。
【００６９】
第２の実施の形態．
本発明の第２の実施の形態は、媒体ガイド部材７の構成において第１の実施の形態と相違するものである。図８は、第２の実施の形態における媒体ガイド部材７の側面図（Ａ）および底面図（Ｂ）である。
【００７０】
この第２の実施の形態では、媒体ガイド部材７の媒体搬送方向（矢印Ｆ）上流側の非塗装部７ｂに加えて、媒体搬送方向下流側にも、導電部である非塗装部７ｅを設けたものである。
【００７１】
この場合、非塗装部７ｅは、媒体ガイド部材７の媒体搬送方向下流側の曲げ部Ｒ２に設けることが望ましい。このようにすれば、原稿媒体８が媒体ガイド部材７を通過する際に、原稿媒体８が非塗装部７ｅに確実に接触するためである。
【００７２】
なお、塗装部７ａと非塗装部７ｅとの境界線は、媒体搬送方向に対して傾斜している必要はなく、ここでは媒体搬送方向に直交している。これは、原稿媒体８が、塗装部７ａの非塗装部７ｅ側の端部に引っ掛かることがないためである。他の構成要素は、第１の実施の形態と同様に構成されている。
【００７３】
なお、図８（Ｂ）に示した塗装部７ａと非塗装部７ｂとの境界線Ｅの形状は、第１の実施の形態の図６に示した形状と同じであるが、図３、図５または図７に示した形状であってもよいし、これら以外の形状であってもよい。
【００７４】
第２の実施の形態では、媒体ガイド部材７の塗装部７ａの媒体搬送方向の下流側にも、導電部としての非塗装部７ｅを設けたため、原稿媒体８と導電部（非塗装部７ｂ，７ｅ）との接触面積を大きく確保することができる。そのため、原稿媒体８、媒体ガイド部材７および光透過板２１において生じた静電気を除去する能力を、さらに高めることができる。
【００７５】
第３の実施の形態．
本発明の第３の実施の形態は、媒体ガイド部材７の構成において第１および第２の実施の形態と相違するものである。図９は、第３の実施の形態における媒体ガイド部材７の側面図（Ａ）および底面図（Ｂ）である。
【００７６】
上述した第１および第２の実施の形態では、導電部としての塗装部７ａは、媒体ガイド部材７の媒体搬送面７ｃに、例えばアクリル系樹脂、ＰＴＦＥ等をコーティングすることにより形成されていた。これに対し、この第３の実施の形態では、媒体ガイド部材７の媒体搬送面７ｃに、フィルム、より具体的には白色フィルム２０を貼り付けている。すなわち、第２の実施の形態では、媒体ガイド部材７の媒体搬送面７ｃの導電部は、フィルム（白色フィルム２０）により構成されている。その他の構成は、第１および第２の実施の形態で説明した通りである。
【００７７】
なお、図９（Ｂ）に示した塗装部７ａと非塗装部７ｂとの境界線Ｅの形状は、第１の実施の形態の図６に示した形状と同じであるが、図３、図５または図７に示した形状であってもよいし、これら以外の形状であってもよい。
【００７８】
また、図９（Ｂ）では、塗装部７ａの媒体搬送方向（矢印Ｆ）の上流側と下流側に非塗装部７ｂ，７ｅが設けられているが、第１の実施の形態で説明したように、塗装部７ａの媒体搬送方向上流側の非塗装部７ｂのみとしてもよい。
【００７９】
第３の実施の形態では、媒体ガイド部材７の媒体搬送面７ｃの導電部を、白色フィルム２０を貼り付けて構成したため、コーティングによる場合と比較して、製造コストを低減することができる。
【００８０】
第４の実施の形態
本発明の第４の実施の形態は、媒体ガイド部材７の構成において第１〜第３の実施の形態と相違するものである。図１０は、第３の実施の形態における媒体ガイド部材７の側面図（Ａ）および底面図（Ｂ）である。
【００８１】
上述した第１〜第３の実施の形態では、媒体ガイド部材７の塗装部７ａの媒体搬送方向上流側に導電部としての非塗装部７ｂを設け、あるいは上流側と下流側の両方に非塗装部７ｂ，７ｅを設けていた。
【００８２】
これに対し、この第４の実施の形態では、媒体ガイド部材７の塗装部７ａの媒体搬送方向（矢印Ｆ）の下流側のみに、導電部としての非塗装部７ｅを設けている。
【００８３】
この場合、導電部としての非塗装部７ｅは、媒体ガイド部材７の媒体搬送方向下流側の曲げ部Ｒ２に設けることが望ましい。このようにすれば、原稿媒体８が媒体ガイド部材７を通過する際に、原稿媒体８が非塗装部７ｅに確実に接触するためである。
【００８４】
第４の実施の形態では、原稿媒体８が導電部（非塗装部７ｅ）に接触するタイミングは第１〜第３の実施の形態よりも遅いものの、静電気を除去することは可能である。また、媒体ガイド部材７の媒体搬送方向上流側に塗装部７ａと非塗装部７ｂとの段差部Ｍ（図４）が生じないため、原稿媒体８の引っ掛かりを生じることがないという利点がある。
【００８５】
＜複合装置＞
次に、第１〜第４の実施の形態における読取装置１を適用した複合装置について説明する。図１１は、読取装置１を備えた複合装置６の外観斜視図である。図１２は、複合装置６の側面図である。
【００８６】
図１１に示すように、第１〜第４の実施の形態で説明した読取装置１（スキャナ部とも称する）は、画像形成装置５（プリンタ部とも称する）組み合わされて一体の複合装置６を構成している。この例では、読取装置１は、画像形成装置５の上部に配置されている。読取装置１の構成は、第１〜第４の実施の形態で説明した通りである。
【００８７】
複合装置６には、操作部としてのオペレーションパネル６Ａが設けられている。このオペレーションパネル６Ａは、ユーザが読取装置１および画像形成装置５の各機能を実行する際に使用する。
【００８８】
図１２は、複合装置６の側面図（図１１における矢印Ａ方向から見た図）であるが、画像形成装置５の基本構成も模式的に示している。画像形成装置５は、ここでは、ＬＥＤ（発光ダイオード）を用い、電子写真方式を用いて画像を形成するものである。なお、画像形成装置５は、単色（モノクロ）画像を形成するものでもよいし、カラー画像を形成するものでもよい。また、電子写真方式に限らず、レーザ方式、インクジェット方式、またはドットインパクト方式を用いてもよい。
【００８９】
画像形成装置５は、印刷用紙等の記録媒体９を収納する記録媒体収納部１０１と、記録媒体収納部１０１に収容された記録媒体９を搬送路に供給する給紙ローラ１０２と、搬送路に供給された記録媒体９を搬送する搬送ローラ対１０３，１０４とを備えている。
【００９０】
画像形成装置５は、さらに、現像剤像としてのトナー像を形成し、記録媒体９に転写する画像形成部（プロセスユニット）１０５と、トナー像を記録媒体９に定着させる定着器１０６と、トナー像が定着した記録媒体９を排出する排出ローラ対１０７，１０８と、排出された記録媒体９を載置するスタッカ部１０９とを備えている。
【００９１】
複合装置６の動作は、次のとおりである。ここでは、原稿媒体８の画像を読み取って記録媒体９に印刷する動作（コピー動作）について説明する。
【００９２】
オペレーションパネル６Ａのコピー操作キーが押下されると、第１の実施の形態で説明したように、読取装置１の媒体搬送ユニット２が原稿媒体８を搬送し、読取ユニット３が原稿媒体８の読み取りを行う。読取ユニット３によって読み取られたイメージデータは、画像形成装置５に送られる。
【００９３】
一方、画像形成装置５では、ピックアップローラ１０２が記録媒体収容部１０１から記録媒体９を搬送路に送り出し、搬送ローラ対１０３，１０４が記録媒体９を画像形成部１０５に搬送する。画像形成部１０５は、読取手段２２から送られたイメージデータに基づいてトナー像を形成し、記録媒体９に転写する。トナー像が転写された記録媒体９は定着器１０６に送られ、トナー像が記録媒体９に定着する。トナー像が定着した記録媒体９は、排出ローラ１０７，１０８によって排出され、スタッカ部１０９に載置される。
【００９４】
ここでは、読取装置１と画像形成装置５とを組み合わせた複合装置６について説明したが、本発明は、このような例に限定されるものではない。例えば、読取装置１を、画像形成装置５と組み合わせることなく、スキャナとして使用してもよい。
【００９５】
また、第１〜第４の実施の形態で説明した媒体搬送装置は、読取装置に限らず、他の用途、例えば画像形成装置（電子写真プリンタ、コピー機など）に用いてもよい。媒体搬送装置が搬送する媒体は、読取媒体に限らず、例えば記録媒体（印刷用紙等）であってもよい。
【００９６】
また、第１〜第４の実施の形態で説明した塗装部７ａおよびフィルム２０は、白色に限らず、他の色であってもよい。
【符号の説明】
【００９７】
１  読取装置、  ２  媒体搬送ユニット（媒体搬送装置）、  ３  読取ユニット、  ５  プリンタ部（画像形成装置）、  ６  複合装置、  ６Ａオペレーションパネル、  ７  媒体ガイド部材、  ７ａ  塗装部（非導電部）、  ７ｂ，７ｅ  非塗装部（導電部）、  ７ｃ  媒体搬送面、  ７ｄ  非媒体搬送面、  ８  原稿媒体（媒体）、  ９  記録媒体、  １０  読取位置、  １１  ピックアップローラ、  １２  給紙ローラ、  １３  摩擦分離片、  １４  原稿載置台（媒体載置部）、  １５  搬送ローラ対（第１ローラ対）、  １６  第１案内部材、  １７  第２案内部材、  １８  排出ローラ対（第２ローラ対）、  １９  原稿排出台（媒体排出部）、  ２０  白色フィルム（フィルム）、  ２１  光透過板（媒体保持部）、  ２２  読取手段、  ２３  載置ガラス（載置部材）、  ２４，３４  フレーム、  ２５，３５  アース線、  ３１，３２，３３  センサ、  Ｅ  境界線、  Ｆ  媒体搬送方向、  Ｍ  段差、  Ｒ１，Ｒ２  曲げ部、  Ｓ  搬送路。
【図１】
2014076872.tif 000003
【図２】
2014076872.tif 000004
【図３】
2014076872.tif 000005
【図４】
2014076872.tif 000006
【図５】
2014076872.tif 000007
【図６】
2014076872.tif 000008
【図７】
2014076872.tif 000009
【図８】
2014076872.tif 000010
【図９】
2014076872.tif 000011
【図１０】
2014076872.tif 000012
【図１１】
2014076872.tif 000013
【図１２】
2014076872.tif 000014